(57)【要約】      （修正有）【課題】開閉型電気コネクタの提供。【解決手段】ベース１に端子アセンブリ２が組み付けられ、並びにベースの上方にカバー３が組み付けられ、カバーがベースの一側に枢設され、カバーが回転して開放或いは閉合の動作を行ない、カバーが開放状態を呈する時、ベースとカバーの間に収容空間が形成されてモジュールプラグ２０を収容し、別にベースの一側に制限手段４が設けられてカバーのベースに対する開放角度を制限し、並びにベースと制限手段の間に自動閉合機構５が設けられてカバーを自動的にベース上に閉合させる。ゆえに電気コネクタ未使用時に自動閉合して薄型物とすることができ、体積を縮小して携帯使用に便利とすることができる。【選択図】図１
0003104561.tif 000002
【実用新案登録請求の範囲】
【請求項１】
ベースと、
該ベース上に組み付けられ、組み合わされるコネクタと接触し導通する端子アセンブリと、
一側が該ベースに枢設されて回転自在とされベースに対して開放或いは閉合状態を呈し、開放状態の時に該ベースとの間に組み合わされるコネクタを収容できる収容空間を形成するカバーと、
該ベースと該カバーの一側に設けられ、カバーの開放角度を制限する制限手段と、
該ベースと該制限手段の間に取り付けられて該カバーをベース上に自動閉合させる自動閉合手段と、
を具えたことを特徴とする、開閉型電気コネクタ。
【請求項２】
請求項１記載の開閉式電気コネクタにおいて、端子アセンブリが複数の接触端子と一つの端子シートと端子シートと一体に射出成形された接触端子で構成されたことを特徴とする、開閉式電気コネクタ。
【請求項３】
請求項１記載の開閉式電気コネクタにおいて、カバーの後側に凸耳が外向きに凸設され、凸耳に枢設孔が設けられ、ベースの対応部分に二つの枢設溝が設けられ、枢設溝中の側壁に枢軸が設けられ、該枢軸がカバーの枢設孔と枢設されたことを特徴とする、開閉式電気コネクタ。
【請求項４】
請求項１記載の開閉式電気コネクタにおいて、カバーの前側に係止凹溝が形成され、組み合わされるコネクタに形成されたタブが該係止凹溝に収容並びに係合可能とされたことを特徴とする、開閉式電気コネクタ。
【請求項５】
請求項１又は請求項４記載の開閉式電気コネクタにおいて、組み合わされるコネクタがモジュールプラグとされたことを特徴とする、開閉式電気コネクタ。
【請求項６】
請求項１記載の開閉式電気コネクタにおいて、制限手段が連接棒とスライドブロックを具え、スライドブロックがスライド方式でベースの一側に枢設され、連接棒がカバーとスライドブロックの間に枢設されたことを特徴とする、開閉型電気コネクタ。
【請求項７】
請求項１記載の開閉式電気コネクタにおいて、制限手段が連接棒とスライドブロックを具え、該連接棒が長板状を呈し、底端及び上端に開口を具え、スライドブロックの外側壁及びカバーの前側に近い側辺位置にそれぞれ凸軸が凸設され、該凸軸が連接棒の二つの開口中に嵌合されたことを特徴とする、開閉型電気コネクタ。
【請求項８】
請求項６記載の開閉式電気コネクタにおいて、ベースのスライドブロックを設けた一側に収容部が形成され、収容部の前後両側に側壁があり、且つ収容部の外側に肩部と切欠きが設けられ、肩部及び切欠きの隣接部分にストッパ壁が画定され、スライドブロックの内側の凸部が側壁とストッパ壁の間に制限されてスライドすることを特徴とする、開閉型電気コネクタ。
【請求項９】
請求項８記載の開閉式電気コネクタにおいて、自動閉合手段が弾性手段及びそれに挿入された軸棒で構成され、該軸棒はスライドブロックの凸部に設けられた穿孔中に通され、且つ軸棒の両端は収容部の両側壁に設けられた軸孔内に位置決めされ、弾性手段は収容部前側側壁及びスライドブロック内側の凸部に突き当てられたことを特徴とする、開閉型電気コネクタ。
【請求項１０】
請求項１記載の開閉式電気コネクタにおいて、自動閉合手段が弾性手段及びそれに挿入された軸棒で構成されたことを特徴とする、開閉型電気コネクタ。
【請求項１１】
請求項１０記載の開閉式電気コネクタにおいて、弾性手段がバネとされたことを特徴とする、開閉型電気コネクタ。
【考案の詳細な説明】
【技術分野】
【０００１】
本考案は一種の開閉型電気コネクタに係り、特に、カバーを具えた電気コネクタであり、カバー開放時に対応するコネクタの挿入に供され、不使用時にカバーが自動閉合する、開閉型電気コネクタに関する。
【背景技術】
【０００２】
科学技術の進歩に伴い、各種の通信設備には使用に便利で、機能が強化され、体積が小さく携帯しやすいことが求められるようになった。しかしこれらの製品はいずれも信号線により信号の伝送と受信を行なうため、ほとんどのデスクトップ型コンピュータ或いはポータブルコンピュータ或いはその他の電子製品の信号受信或いは保存装置には標準規格の電気コネクタが設けられる。図１１に示されるように、ＰＣＭＣＩＡカード１００は通信リンクに用いられ、ポータブルコンピュータをＬＡＮに接続させたり、或いはデータ／ファクシミリモデムを電話線システムに接続するのに用いられる。ゆえにＰＣＭＣＩＡカード１００の一側には標準規格のＲＪ系列電気コネクタ１０ａ、例えばＲＪ１１、ＲＪ４５等が設けられている。接続時には、通信プラグの一端をＬＡＮと接続し、通信プラグのもう一端をＰＣＭＣＩＡカード１００の電気コネクタ１０ａ中に挿入すれば、信号の伝送と受信が行なえる。
【０００３】
しかし、上述の電気コネクタ１０ａには使用上、以下のような問題がある。
（１）このＲＪ系列の電気コネクタ１０ａは標準規格であるため、一定の体積を具え、ＰＣＭＣＩＡカード１００の標準厚さはＲＪ系列の電気コネクタ１０ａより遥かに小さく、ゆえに図１１から分かるように、ＰＣＭＣＩＡカード１００の電気コネクタ１０ａを設けた一側の高度が特に高く、このため全体のＰＣＭＣＩＡカード１００の体積が非常に大きくなり、使用者による収納と携帯上の不便を形成した。且つ、ポータブルコンピュータに関しては、電気コネクタ１０ａの体積に制限されるため電気コネクタ１０ａのポータブルコンピュータにあっての取り付け点もまた極めて大きな制限を受ける。
（２）この電気コネクタ１０ａの挿入口は露出し、灰塵が接触端子に付着しやすく、接触不良の状況を発生しやすい。
【０００４】
上述の問題を改善するため、特許文献１のような開閉式電気コネクタが提供されており、それは、
ベースとカバー、少なくとも一つの端子部品、噛合機構、開閉位置制限機構を具え、
該ベースは上表面に開口を具え、該ベース中に受け面が画定されて長方形の相互に組み合わされるコネクタを収容でき、該カバーは該ベースの該開口を開閉でき、
該少なくとも一つの端子部品は、該ベース中に設置されて相互に組み合わされるコネクタと弾性接触し、該カバーは枢軸方式で該ベースの一側に枢支されてカバーが回転して自在に開放或いは閉合し、該カバーが開放状態の時、カバーとベースの受け面の間に相互に組み合わされるコネクタを収容する収容空間が形成されて相互に組み合わされるコネクタをカバーと受け面の間に挟持でき、噛合機構は相互に組み合わされるコネクタの噛合部と噛み合い、これにより相互に組み合わされるコネクタのベースからの抜き取りを防止し、開閉位置制限機構はカバーのベースに対する開放角度を制限し、ベースの一側の受け面にある全ての支持面が開放位置にあるカバーの背面とほぼ平行とされる。
【０００５】
上述の特許文献１の開閉式電気コネクタは、そのカバーが一側が枢軸でベースに枢設されているだけであり、且つカバー開放時には枢軸を軸として回転方式で上向きに傾斜角度を呈するように開放されて相互に組み合わされるコネクタが斜め差し込み方式で電気コネクタ内に挿入される。しかし、このような開閉式電気コネクタは閉合時には使用者が主動でカバーをベース上に閉合させなければならず、使用上、不便である。
【０００６】
【特許文献１】米国特許第５，６７９，０１３号明細書
【考案の開示】
【考案が解決しようとする課題】
【０００７】
本考案は一種の開閉式電気コネクタを提供することを目的とし、それは、ベースを具え、該ベース上に端子アセンブリが設けられ、ベースの上方にカバーが設けられ、カバーがベースの一側に枢設され、カバーが回転式の開閉動作を行ない、カバーが開放状態を呈する時に、ベースとカバーの間に収容空間が形成されてモジュールプラグを収容し、別にベースの一側に制限手段が設けられてカバーのベースに対する開放角度を制限し、並びにベースと制限手段の間に自動閉合機構が設けられてカバーを自動的にベース上に閉合させる。ゆえに電気コネクタ未使用時に自動閉合して薄型物とすることができ、体積を縮小して携帯使用に便利とすることができるものとする。
【課題を解決するための手段】
【０００８】
請求項１の考案は、
ベースと、
該ベース上に組み付けられ、組み合わされるコネクタと接触し導通する端子アセンブリと、
一側が該ベースに枢設されて回転自在とされベースに対して開放或いは閉合状態を呈し、開放状態の時に該ベースとの間に組み合わされるコネクタを収容できる収容空間を形成するカバーと、
該ベースと該カバーの一側に設けられ、カバーの開放角度を制限する制限手段と、
該ベースと該制限手段の間に取り付けられて該カバーをベース上に自動閉合させる自動閉合手段と、
を具えたことを特徴とする、開閉型電気コネクタとしている。
請求項２の考案は、請求項１記載の開閉式電気コネクタにおいて、端子アセンブリが複数の接触端子と一つの端子シートと端子シートと一体に射出成形された接触端子で構成されたことを特徴とする、開閉式電気コネクタとしている。
請求項３の考案は、請求項１記載の開閉式電気コネクタにおいて、カバーの後側に凸耳が外向きに凸設され、凸耳に枢設孔が設けられ、ベースの対応部分に二つの枢設溝が設けられ、枢設溝中の側壁に枢軸が設けられ、該枢軸がカバーの枢設孔と枢設されたことを特徴とする、開閉式電気コネクタとしている。
請求項４の考案は、請求項１記載の開閉式電気コネクタにおいて、カバーの前側に係止凹溝が形成され、組み合わされるコネクタに形成されたタブが該係止凹溝に収容並びに係合可能とされたことを特徴とする、開閉式電気コネクタとしている。
請求項５の考案は、請求項１又は請求項４記載の開閉式電気コネクタにおいて、組み合わされるコネクタがモジュールプラグとされたことを特徴とする、開閉式電気コネクタとしている。
請求項６の考案は、請求項１記載の開閉式電気コネクタにおいて、制限手段が連接棒とスライドブロックを具え、スライドブロックがスライド方式でベースの一側に枢設され、連接棒がカバーとスライドブロックの間に枢設されたことを特徴とする、開閉型電気コネクタとしている。
請求項７の考案は、請求項１記載の開閉式電気コネクタにおいて、制限手段が連接棒とスライドブロックを具え、該連接棒が長板状を呈し、底端及び上端に開口を具え、スライドブロックの外側壁及びカバーの前側に近い側辺位置にそれぞれ凸軸が凸設され、該凸軸が連接棒の二つの開口中に嵌合されたことを特徴とする、開閉型電気コネクタとしている。
請求項８の考案は、請求項６記載の開閉式電気コネクタにおいて、ベースのスライドブロックを設けた一側に収容部が形成され、収容部の前後両側に側壁があり、且つ収容部の外側に肩部と切欠きが設けられ、肩部及び切欠きの隣接部分にストッパ壁が画定され、スライドブロックの内側の凸部が側壁とストッパ壁の間に制限されてスライドすることを特徴とする、開閉型電気コネクタとしている。
請求項９の考案は、請求項８記載の開閉式電気コネクタにおいて、自動閉合手段が弾性手段及びそれに挿入された軸棒で構成され、該軸棒はスライドブロックの凸部に設けられた穿孔中に通され、且つ軸棒の両端は収容部の両側壁に設けられた軸孔内に位置決めされ、弾性手段は収容部前側側壁及びスライドブロック内側の凸部に突き当てられたことを特徴とする、開閉型電気コネクタとしている。
請求項１０の考案は、請求項１記載の開閉式電気コネクタにおいて、自動閉合手段が弾性手段及びそれに挿入された軸棒で構成されたことを特徴とする、開閉型電気コネクタとしている。
請求項１１の考案は、請求項１０記載の開閉式電気コネクタにおいて、弾性手段がバネとされたことを特徴とする、開閉型電気コネクタとしている。
【考案の効果】
【０００９】
本考案の開閉型電気コネクタのカバーはベース１上に自動閉合可能で、ゆえに電気コネクタは未使用時に自動的に閉合して薄型物となり、場所をとらず、体積が縮小されて携帯使用に便利となる。
【考案を実施するための最良の形態】
【００１０】
本考案は一種の開閉式電気コネクタを提供し、それは図１に示されるように、ＲＪ−４５モジュールソケットとされ、通信モジュールプラグ２０が該電気コネクタ１０内に挿入されて信号の伝送と受信を行なう。電気コネクタ１０はベース１を具え、該ベース１には収容溝１１が設けられ、収容溝１１内に複数の端子チャネル１２が設けられ、ベース１の上に端子アセンブリ２が設置され、該端子アセンブリ２は複数の接触端子２１と端子シート２２で構成され、これら接触端子２１は端子シート２２と一体に射出成形され、端子シート２２がさらにベース１に取り付けられ並びに複数の接触端子２１が端子チャネル１２中に位置する。
【００１１】
本考案中、別に、ベース１の上方にカバー３が設置され、カバー３は後側に外向きに突出する凸耳３１を具え、該凸耳３１に枢設孔３２が設けられ、ベース１のそれに対応する後側部分に二つの枢設溝１３が設けられ、該枢設溝１３中の側壁に枢軸１４が設けられ、カバー３が枢設孔３２と枢軸１４の枢設を利用してベース１に枢設され、且つカバー３がベース１に対して開放或いは閉合の動作を行なう。カバー３が開放状態を呈する時、カバー３とベース１の間に収容空間１０１（図４参照）が形成されて、モジュールプラグ２０を収容する。本実施例中、モジュールプラグ２０の上端にタブ２０１が設けられ、カバー３の前側部分に係止凹溝３３が設けられ、モジュールプラグ２０が電気コネクタ１０内に挿入される時、タブ２０１がカバー３の係止凹溝３３中に係合し、モジュールプラグ２０が電気コネクタ１０にあって係止、位置決めされる。
【００１２】
図１に示されるように、本考案中、ベース１とカバー３の一側には開放角度を制限するための制限手段４が設けられ、該制限手段４は連接棒４１を具え、連接棒４１の両端に開口４１１が設けられ、別に、スライドブロック４２が設けられ、スライドブロック４２はベース１上に設けられ、スライドブロック４２の外側壁及びカバー３の前側に近い側辺位置にそれぞれ凸軸４３、３４が設けられ、連接棒４１の二つの開口４１１中に嵌合する。ベース１のスライドブロック４２を設けた一側には収容部１５が形成され、収容部１５の前後両側に側壁１５１、１５２があり、且つ収容部１５の外側に肩部１５３と切欠き１５４が設けられ、肩部１５３及び切欠き１５４の隣接部分にストッパ壁１５５が画定され、スライドブロック４２の内側の凸部４２１が側壁１５２とストッパ壁１５５の間に制限されてスライドする。
【００１３】
本考案中、別に自動閉合手段５が設けられ、該自動閉合手段５は弾性手段５１及びそれに挿入された軸棒５２で構成されている。軸棒５２はスライドブロック４２の凸部４２１に設けられた穿孔４２２中に通され、且つ軸棒５２の両端は収容部１５の両側壁１５１、１５２に設けられた軸孔１５６、１５７に位置決めされ、弾性手段５１は収容部１５前側側壁１５１及びスライドブロック４２内側の凸部４２１に突き当てられる。本実施例中、弾性手段５１はバネとされる。
【００１４】
図２、３、４に示されるように、本考案を組立てる時は、端子アセンブリ２の複数の接触端子２１をそれぞれ端子シート２２と一体射出成形し、端子シート２２を更にベース１底部に組み付け、且つ各接触端子２１をベース１に設けられた端子チャネル１２に位置づける。続いて、カバー３後側の凸耳３１をベース１後側の枢設溝１３中に挿入し、カバー３を凸耳３１の枢設孔３２を利用してベース１に枢設する。
【００１５】
続いて、制限手段４のスライドブロック４２をベース１の側辺に設けた収容部１５部分に取り付け、並びにスライドブロック４２の内側の凸部４２１を側壁１５２とストッパ壁１５５の間に制限し、軸棒５２をスライドブロック４２の凸部４２１に設けた穿孔４２２中に挿入し、且つ軸棒５２の両端を収容部１５の両側壁１５１、５２部分に設けられた軸孔１５６、１５７内に位置決めし、弾性手段５１を軸棒５２に嵌合し、並びに収容部１５の前側側壁１５１及びスライドブロック４２の凸部４２１に突き当てる。さらに、連接棒４１の二つの開口４１１をカバー３のスライドブロック４２に設けた凸軸３４、４３と枢設すれば、本考案の開閉型電気コネクタ１０の組立が完成し、カバー３をベース１に対して開放状態（図２）とするか、或いは閉合状態（図３）とすることができる。カバー３が開放状態を呈する時、カバー３とベース１の間に収容空間１０１が形成され、モジュールプラグ２０を収容できる。
【００１６】
図５に示されるように、本実施例中、電気コネクタ１０はＰＣＭＣＩＡカード１００に応用され、通信リンクに用いられる。ＰＣＭＣＩＡカード１００未使用時に、カバー３は閉合状態を呈し、且つカバー３の上面はＰＣＭＣＩＡカード１００の上面と揃い、ゆえに全体のＰＣＭＣＩＡカード１００の体積が薄くなり、携帯使用に便利である。図６に示されるように、該電気コネクタ１０がポータブルコンピュータ２００に応用される時、本電気コネクタ１０は開放或いは閉合状態を呈し、ゆえにポータブルコンピュータ２００の任意の位置に取り付けることができる。
【００１７】
図３を参照されたい。本考案中、カバー３が閉合状態を呈する時、スライドブロック４２は収容部１５後側の側壁１５２に当接され、弾性手段５１は未だ圧迫されず、ゆえに弾性回復力を蓄積しない。図２、７に示されるように、モジュールプラグ２０を電気コネクタ１０内に挿入する時、カバー３に上向きの力を加えると、カバー３がベース１の後側に設けられた枢軸１４を軸として上向きに回転し、カバー３回転時に、連接棒４１もまたスライドブロック４２を駆動して前に移動させ、スライドブロック４２の内側の凸部４２１が収容部１５前側の側壁１５１に当接すると、それ以上は前に移動せず、カバー３が開放された状態に維持される。続いてモジュールプラグ２０をカバー３とベース１の間に形成された収容空間１０１内に挿入し、モジュールプラグ２０を接触端子２１とカバー３の間に挟持させ、並びに接触端子２１と接触導通状態を形成させて（図７）信号の伝送或いは受信を行なわせる。このとき、弾性手段５１はスライドブロック４２の前進により押圧され変形し、弾性回復力を蓄積する。
【００１８】
モジュールプラグ２０を電気コネクタ１０より抜き取ると、カバー３はモジュールプラグ２０の支持を受けなくなり、且つ更になんの力をカバー３に加えなくとも、弾性手段５１に蓄積された弾性回復力が釈放されるためにスライドブロック４２が後ろに移動してもとの位置に戻り、カバー３が連接棒４１の駆動により自動的にベース１の上に閉合され、こうして電気コネクタ１０のカバー３が自動閉合の機能を具備する。
【００１９】
以上の構造説明から分かるように、本考案の開閉型電気コネクタ１０のカバー３はベース１上に自動閉合可能で、ゆえに電気コネクタ１０は未使用時に自動的に閉合して薄型物となり、場所をとらず、体積が縮小されて携帯使用に便利となる。
【図面の簡単な説明】
【００２０】
【図１】本考案の分解斜視図である。
【図２】本考案の電気コネクタの開放状態の外観組合せ図である。
【図３】本考案の電気コネクタの閉合状態の外観組合せ図である。
【図４】本考案の電気コネクタの開放状態の側面断面図である。
【図５】本考案の電気コネクタをＰＣＭＣＩＡカードに使用した表示図である。
【図６】本考案の電気コネクタをポータブルコンピュータに使用した表示図である。
【図７】本考案の電気コネクタとモジュールプラグを組み合わせた側面断面図である。
【図８】周知の技術の表示図である。
【符号の説明】
【００２１】
１０  電気コネクタ                      １０１  収容空間
１  ベース                              １１  収容溝
１２  端子チャネル                      １３  枢設溝
１４  枢軸                              １５  収容部
１５１、１５２  側壁                    １５３  肩部
１５４  切欠き                          １５５  ストッパ壁
１５６、１５７  軸孔                    ２  端子アセンブリ
２１  接触端子                          ２２  端子シート
３  カバー                              ３１  凸耳
３２  枢設孔                            ３３  凹溝
３４、４３  凸軸                        ４  制限手段
４１  連接棒                            ４１１  開口
４２  スライドブロック                  ４２１  凸部
４２２  穿孔                            ５  自動閉合手段
５１  弾性手段                          ５２  軸棒
２０  モジュールプラグ                  ２０１  タブ
１００  ＰＣＭＣＩＡカード              ２００  ポータブルコンピュータ
【図１】
0003104561.tif 000003
【図２】
0003104561.tif 000004
【図３】
0003104561.tif 000005
【図４】
0003104561.tif 000006
【図５】
0003104561.tif 000007
【図６】
0003104561.tif 000008
【図７】
0003104561.tif 000009
【図８】
0003104561.tif 000010